(57)【特許請求の範囲】
【請求項１】
コンピュータの装着ケージ内に固定するために設けられる挿入組立体のための取付けレールであって、
当該取付けレールは、少なくとも、
−  前記装着ケージのガイドレール内に固定するための１つの軸受表面と、
−  前記挿入組立体のための１つの締結部とを含み、
該締結部によって当該取付けレールを前記挿入組立体の上に固定可能であり、
当該取付けレールは、第１の端部にレバーを含むこと、該レバーは、偏心性が形成されるように当該取付けレールのシャフトに取り付けられ、装着状態において前記レバーを作動させることによって、当該取付けレールは、前記挿入組立体の方向において持ち上げられること、並びに、前記レバーは、装着状態において前記レバーを作動させることによって、前記取付けレールが前記装着ケージから移動させられるように取り付けられることを特徴とする、
取付けレール。
【請求項２】
前記レバーは、少なくとも１つのレバー突起を含み、該レバー突起は、当該取付けレールを前記装着ケージから押すために、前記装着ケージの縁部を押し付け得ることを特徴とする、請求項１に記載の取付けレール。
【請求項３】
当該取付けレールは、前記第１の端部に、回止め突起を含み、該回止め突起は、挿入の方向において当該取付けレールを前記装着ケージに固定するために、装着状態において前記装着ケージの開口内に係入することを特徴とする、請求項１に記載の取付けレール。
【請求項４】
コンピュータの装着ケージ内に挿入組立体を固定するための構成であって、
−  装着ケージと、
−  取付けレールと、
−  少なくとも１つの締結部とを含み、
前記取付けレールは、前記装着ケージのガイドレール内に前記取付けレールを固定するための少なくとも１つの軸受表面を有し、
前記少なくとも１つの締結部は、前記挿入組立体のために前記取付けレールの上に配置され、前記少なくとも１つの締結部によって前記取付けレールを前記挿入組立体に固定可能であり、
前記取付けレールは、請求項１乃至３のうちのいずれか１項に従って形成されることを特徴とする、
構成。
【請求項５】
コンピュータの装着ケージ内に挿入組立体を固定するための構成であって、
−  装着ケージと、
−  取付けレールと、
−  少なくとも１つの締結部とを含み、
前記取付けレールは、前記装着ケージのガイドレール内に前記取付けレールを固定するための少なくとも１つの軸受表面を有し、
前記少なくとも１つの締結部は、前記挿入組立体のために前記取付けレールの上に配置され、前記少なくとも１つの締結部によって前記取付けレールを前記挿入組立体に固定可能であり、
前記取付けレールは、請求項２に従って形成され、前記装着ケージは、前記ガイドレールを備える表面に、縁部を外向きに含み、前記取付けレールを前記装着ケージから外れるように移動させるために、前記レバー突起を前記縁部に対して押し付け得ることを特徴とする、
構成。
【発明の詳細な説明】
【技術分野】
【０００１】
本発明は、コンピュータの装着ケージ内に固定するために設けられる挿入組立体用の取付けレールに関し、取付けレールは、装着ケージのガイドレールにおける固定のために、少なくとも１つの軸受表面を含む。本発明は、コンピュータの装着ケージ内に挿入組立体を固定するための構成にも関し、当該構成は、装着ケージのガイドレール内に取付けレールを固定するための少なくとも１つの軸受表面を有する取付けレールと、挿入組立体のために取付けレール上に配置される少なくとも１つの締結具とを含み、それによって、取付けレールを挿入組立体の上に横方向に固定し得る。
【背景技術】
【０００２】
上述の種類の取付けレールは、とりわけ、コンピュータ筐体内の挿入組立体、具体的には、ディスクドライブの、特に単純で迅速な挿入及び取外しを可能にする。装着ケージの背面にある差込みコネクタ内にディスクドライブを難なく嵌入させることができ、差込みコネクタは、安定的な薄板部内の所定の場所にクリップ留めされる。対照的に、既知のディスクドライブレールを用いる差込みコネクタからのディスクドライブの取外しは問題である。何故ならば、差込みコネクタ内のディスクドライブ接続部の挿入力は高すぎるからである。
【０００３】
現在まで、上述の種類のディスクドライブレールはグリップを備え、グリップは、装着状態において、コンピュータの装着ケージから突出する。挿入組立体が、挿入組立体（図１）の両側にある２つのレールに対して横方向に概ね締結される。２つの取付けレールを含む挿入組立体は、装着ケージのガイドレールに沿って装着ケージ内に滑動させられる。各取付けレールは、グリップを備える端部に回止め突起を概ね含み、回止め突起は、装着状態において、装着ケージの開口内に係入させられ、よって、取付けレールを装着ケージの上に固定する。取付けレールを備える挿入組立体を装着ケージから取り外すために、両方の取付けレールのグリップは、回止め突起を係合開口から解放するために挿入組立体の方向において僅かに曲げられなければならない。次に、それぞれのグリップを引っ張ることによって、取付けレールを取り外し得る。上で既に説明したように、挿入組立体が追加的に差込みコネクタ内に挿入されるときに、装着ケージから挿入組立体と共に取付けレールを取り外すために取付けレールのグリップのみを引っ張ることを達成するのは、不可能ではないとしても、困難を伴う。
【発明の概要】
【発明が解決しようとする課題】
【０００４】
従って、本発明の目的は、挿入組立体、特に、差込型の挿入組立体の取外しを容易化する、挿入組立体のための費用効果的な取付けレールを特定し、コンピュータの装着ケージ内に挿入組立体を固定するための構成も特定することである。
【課題を解決するための手段】
【０００５】
この目的は、取付けレールが第１の端部にレバーを含むという点において、本発明に従って達成される。
【０００６】
基底となる目的は、上述の種類の挿入組立体を固定するための構成によっても達成され、当該構成は、取付けレールが請求項１乃至５のいずれか１項に従って形成されることによって特徴付けられる。
【０００７】
グリップのみを備える代わりに、本発明に従った取付けレールは、レバーを備え、レバーは、シャフトを介して取付けレールの上に組み付けられる。
【０００８】
レバーは、シャフトの上に偏心的に組み付けられ、よって、偏心性をもたらすのが好ましい。偏心性は、シャフトについて回転可能であり、装着ケージ内の取付けレールの掛止（ラッチング）を解放するという機能を有する。取付けレールは、回止め突起を含むのが好ましく、回止め突起は、取付けレールが装着ケージ内に装着されるとき、装着ケージの対応する開口（以下「係合開口」と呼ぶ）内に掛止する。レバーを作動させることによって、装着された取付けレールは、偏心性によって自動的に上向きに持ち上げられ、従って、装着ケージの係合開口から外れる。
【０００９】
レバーは、追加的に突起を備えるのが好ましく、突起は、外された取付けレールを装着ケージから梃子作動させるために、装着ケージの縁部を押圧し得る。挿入組立体が既に差し込まれているならば、レバーは、使用者が挿入組立体を差込みコネクタから制御された方法において引っ張り得るよう、十分な力を生成する。次に、使用者は、解放された挿入組立体を取付けレールと共に完全に取り外すために、レバーをグリップとして使用し得る。
【００１０】
本発明の更なる詳細及び実施態様は従属項に開示される。
【００１１】
以下、図面を参照して、例示的な実施例において、本発明をより詳細に説明する。
【図面の簡単な説明】
【００１２】
【図１】挿入組立体及び２つの取付けレールを従来技術に従った装着ケージ内に固定することに関して、挿入組立体及び２つの取付けレールを示す分解斜視図である。
【図２Ａ】本発明に従った取付けレールを示す斜視図である。
【図２Ｂ】本発明に従った取付けレールを示す詳細図である。
【図２Ｃ】本発明に従った取付けレールを示す詳細図である。
【図３】装着済み挿入組立体を備える本発明に従った構成を示す斜視図である。
【図４】図３に示す構成の一部を示す断面図である。
【図５】非ラッチ位置にあるレバーを備える取付けレールを示す斜視図である。
【発明を実施するための形態】
【００１３】
図１は、挿入組立体１及び２つの取付けレール２を装着ケージ（図示せず）内に固定することに関して、挿入組立体１及び２つの取付けレール２を示している。挿入組立体１は、その側面１ａの各々に３つの締結開口３を含む。取付けレール２は、側面２ａの上に、３つの取付けピン４を含み、取付けピン４は、３つの締結開口３内に係入するよう設けられる。更に、取付けレール２は、一端に、グリップ５と、回止め突起６とを含む。グリップ５は、装着ケージから挿入組立体１を取り外すために使用され、回止め突起６は、挿入状態において、対応する装着ケージの係合開口内で取付けレール２を挿入組立体１に掛止（ラッチ）するために使用される。
【００１４】
挿入組立体１を挿入組立体ケージ内に導入するために、２つの取付けレール２は、側面１ａ及び２ａが互いに向き合い且つ取付けピン４が締結開口３内に係入するよう、挿入組立体の上に適合される。そのように固定される取付けレール２と共に、挿入組立体１は装着ケージ内に挿入される。
【００１５】
図２Ａは、本発明に従った取付けレール２を示している。図１に例示する取付けレール２と同様に、本発明に従った取付けレール２は、３つの取付けピン４と、例えば、２つの回止め突起６（１つの回止め突起６のみが図２Ａ中に見える）とを含む。回止め突起６は、取付けレール２の第１の端部に配置される。図１と対照的に、本発明に従った取付けレール２は、第１の端部に、グリップ５を備えるレバー７を含み、レバー７は、取付けレール２のシャフト８の上に組み付けられる。グリップ５が設けられるのは、レバー７を回転させるため並びに取付けレール２を引っ張るためである。レバー７は、レバー突起９を含む。
【００１６】
図２Ｂは、取付けレール２の第１の端部の拡大部分を示している。組立てのために、レバー７は、丸い開口１０を含み、開口１０は、シャフト８の一方の端部を挿入するために設けられ、丸い部分１１ａ及び隣接するスリット状部分１１ｂとして形成される凹部１１を含む。
【００１７】
丸い部分１１ａの直径は、シャフト８の直径とほぼ同じ大きさなので、レバー７の組立後、シャフト８は、凹部１１の丸い部分１１ａ内にしっかりと保持され、或いは、凹部１１の丸い部分１１ａは、シャフト８を部分的に取り囲む。スリット状部分１１ｂの幅は、シャフト８の直径よりも僅かに小さいので、シャフト８は、組立状態において、凹部１１の丸い部分１１ａから偶発的に滑動し得ない。レバー７は、プラスチックで製造されるのが好ましく、特定の弾性を有する。シャフト８の一端がレバー７の丸い開口１０内に挿入されるや否や、シャフト８の他端は、シャフト８が丸い部分１１ａ内に掛止するまで、凹部１１のスリット状部分１１ｂを通じて押し付けられる。シャフト８の押圧の結果、スリット状部分１１ｂの２つの側壁は、瞬間的に互いに離れる方向に拡張される。
【００１８】
図２Ｃは、レバー７の丸い開口１０の側から、図２Ｂと同じ部分を示している。ここでは、２つの回止め突起６が見える。１つの回止め突起６を備える取付けレール２の実施態様も、本発明の一部である。
【００１９】
図３は、２つの挿入組立体１を示しており、各々の挿入組立体１は、本発明に従った２つの取付けレール２を備え、装着ケージ１２内に既に挿入され且つ固定されている。
【００２０】
図４は、図３に示す構成の一部の断面を示している。取付けレール２の回止め突起６は、装着ケージ１２の係合開口１３内に既に掛止されている。レバー７は、シャフト８について偏心して取り付けられ、よって、偏心性をもたらす。偏心性の結果、レバー７が回転させられるとき、回止め突起６は、装着ケージ１２内で係合開口１３から持ち上げられる。回止め突起６を係合開口１３から解放するときに偏心性のレバー効果を最良に利用するために、回止め突起６及びシャフト８は、互いに可能な限り近接して配置される。引き続き取付けレール２を引っ張ることによって、挿入組立体１は、装着ケージ１２から完全に自由にされる。
【００２１】
レバー７が回転されるときに、レバー７が装着ケージ１２の縁部１４と接触し、然る後、回止め突起６が係合開口１３から自由にされるように、レバー突起9は配置される。よって、取外し方向における力を追加的に得ることができる。装着ケージ１２内の挿入組立体１が差込みコネクタ（図４中では見えない）内に挿入されるときに、差込みコネクタ内の挿入組立体１の挿入力に打ち勝つために、これは必要である。
【００２２】
図５は、本発明に従った取付けレール２を示しており、レバー７を開放状態において例示している。
【符号の説明】
【００２３】
１    挿入組立体  (insert  assembly)
１ａ  挿入組立体の側面  (side  face  of  the  insert  assembly)
２    取付けレール  (mounting  rail)
２ａ  側面  (side  face)
３    挿入組立体の締結開口  (fastening  opening  of  the  insert assembly)
４    取付けピン  (mounting  pin)
５    グリップ  (grip)
６    回止め突起  (detent  lug)
７    レバー  (lever)
８    シャフト  (shaft)
９    レバー突起  (lever  lug)
１０    開口  (opening)
１１    凹部  (recess)
１１ａ  丸い部分  (round  portion)
１１ｂ  スリット状部分  (slit-like  portion)
１２    装着ケージ  (installation  cage)
１３    係合開口  (engagement  opening)
１４    装着ケージの縁部  (edge  of  the  installation  cage)
【図１】
0005687769.tif 000002
【図２Ａ】
0005687769.tif 000003
【図２Ｂ】
0005687769.tif 000004
【図２Ｃ】
0005687769.tif 000005
【図３】
0005687769.tif 000006
【図４】
0005687769.tif 000007
【図５】
0005687769.tif 000008